(57)【要約】【課題】取り外しを安定して行うことができる自転車用バッテリユニットおよび自転車用バッテリユニットの取付構造を提供する。【解決手段】自転車用バッテリユニットは、バッテリセルが設けられるハウジングと、回転軸線、操作部、および、係合部を有し、前記回転軸線まわりに移動可能に前記ハウジングに設けられる操作部材と、を含み、前記操作部は、前記回転軸線まわりの第１操作位置と、第２操作位置との間で移動可能であり、前記係合部は、前記操作部が前記第１操作位置に位置する場合に、自転車に設けられる被係合部と係合し、前記操作部が前記第２操作位置に位置する場合に、前記被係合部から離間するように構成され、前記回転軸線と前記操作部との間に前記係合部が設けられる。【選択図】図１０
2019026104.tif 000002
【特許請求の範囲】
【請求項１】
バッテリセルが設けられるハウジングと、
回転軸線、操作部、および、係合部を有し、前記回転軸線まわりに移動可能に前記ハウジングに設けられる操作部材と、を含み、
前記操作部は、前記回転軸線まわりの第１操作位置と、第２操作位置との間で移動可能であり、
前記係合部は、
前記操作部が前記第１操作位置に位置する場合に、自転車に設けられる被係合部と係合し、
前記操作部が前記第２操作位置に位置する場合に、前記被係合部から離間するように構成され、
前記回転軸線と前記操作部との間に前記係合部が設けられる、自転車用バッテリユニット。
【請求項２】
バッテリセルが設けられるハウジングと、
前記ハウジングに設けられる操作部と、
前記操作部に連動する係合部と、を含み、
前記操作部は、第１操作位置と、第２操作位置との間で移動可能であり、
前記係合部は、
前記操作部が前記第１操作位置に位置する場合に、自転車に設けられる被係合部と係合し、
前記操作部が前記第２操作位置に位置する場合に、前記被係合部から離間するように構成され、
前記操作部は、押されることによって前記第１操作位置から第２操作位置に移動するように構成される、自転車用バッテリユニット。
【請求項３】
バッテリセルが設けられるハウジングと、
前記ハウジングに設けられる操作部と、
前記操作部に連動する係合部と、を含み、
前記操作部は、第１操作位置と、第２操作位置との間で移動可能であり、
前記係合部は、
前記操作部が前記第１操作位置に位置する場合に、自転車に設けられる被係合部と係合し、
前記操作部が前記第２操作位置に位置する場合に、前記被係合部から離間するように構成され、
前記操作部は、第１操作部、および、前記第１操作部とは別体で設けられる第２操作部を含む、自転車用バッテリユニット。
【請求項４】
バッテリセルが設けられるハウジングと、
前記ハウジングに設けられる操作部と、
前記操作部に連動する係合部と、を含み、
前記操作部は、第１操作位置と、第２操作位置との間で移動可能であり、
前記係合部は、
前記操作部が前記第１操作位置に位置する場合に、自転車に設けられる被係合部と係合し、
前記操作部が前記第２操作位置に位置する場合に、前記被係合部から離間するように構成され、
前記ハウジングが前記自転車に取り付けられた状態において、前記係合部は、前記自転車の幅方向に移動可能に前記ハウジングに設けられる、自転車用バッテリユニット。
【請求項５】
回転軸線、前記操作部、および、前記係合部を有し、前記回転軸線まわりに移動可能に前記ハウジングに設けられる操作部材を含み、
前記操作部は、前記回転軸線まわりの前記第１操作位置と、前記第２操作位置との間で移動可能であり、
前記回転軸線と前記操作部との間に前記係合部が設けられる、請求項２〜４のいずれか一項に記載の自転車用バッテリユニット。
【請求項６】
前記操作部は、押されることによって前記第１操作位置から前記第２操作位置に移動するように構成される、請求項３または４に記載の自転車用バッテリユニット。
【請求項７】
前記操作部は、第１操作部、および、前記第１操作部とは別体で設けられる第２操作部を含む、請求項４に記載の自転車用バッテリユニット。
【請求項８】
前記操作部は、押されることによって前記第１操作位置から前記第２操作位置に移動するように構成される、請求項７に記載の自転車用バッテリユニット。
【請求項９】
回転軸線、前記操作部、および、前記係合部を有し、回転軸線まわりに移動可能に前記ハウジングに設けられる操作部材を含み、
前記操作部は、前記回転軸線まわりの前記第１操作位置と、前記第２操作位置との間で移動可能であり、
前記回転軸線と前記操作部材との間に前記係合部が設けられる、請求項６〜８のいずれか一項に記載の自転車用バッテリユニット。
【請求項１０】
前記係合部は、前記被係合部と係合した状態で、前記ハウジングが前記被係合部に対して下方に移動することを規制し、前記係合部は、前記被係合部から離間した状態で、前記ハウジングが前記被係合部に対して下方に移動することを許容するように構成される、請求項１〜９のいずれか一項に記載の自転車用バッテリユニット。
【請求項１１】
バッテリセルが設けられるハウジングと、
前記ハウジングに設けられる操作部と、
前記操作部に連動し、自転車の被係合部と係合可能な係合部と、を含み、
前記操作部は、第１操作位置と、第２操作位置との間で移動可能であり、
前記被係合部は、第１被係合部および第２被係合部を含み、
前記係合部は、第１係合部および第２係合部を含み、
前記第１係合部は、
前記操作部が前記第１操作位置に位置する場合に、前記自転車に設けられる第１被係合部と係合し、
前記操作部が前記第２操作位置に位置する場合に、前記第１被係合部から離間するように構成され、
前記第２係合部は、
前記操作部が前記第１操作位置に位置する場合に、前記自転車に設けられる第２被係合部と係合し、
前記操作部が前記第２操作位置に位置する場合に、前記第２被係合部から離間するように構成され、
前記操作部が前記第１操作位置から前記第２操作位置に移動する場合に、前記第１係合部および前記第２係合部の相対位置が変化する、自転車用バッテリユニット。
【請求項１２】
前記操作部は、押されることによって前記第１操作位置から前記第２操作位置に移動するように構成される、請求項１１に記載の自転車用バッテリユニット。
【請求項１３】
前記ハウジングが前記自転車に取り付けられた状態において、前記係合部は、前記自転車の幅方向に移動可能に前記ハウジングに設けられる、請求項１１または１２に記載の自転車用バッテリユニット。
【請求項１４】
前記操作部は、第１操作部、および、前記第１操作部とは別体で設けられる第２操作部を含み、
前記第１係合部は、前記第１操作部に連動し、
前記第２係合部は、前記第２操作部に連動する、請求項１１〜１３のいずれか一項に記載の自転車用バッテリユニット。
【請求項１５】
前記操作部が前記第１操作位置から前記第２操作位置に移動する場合に、前記第１係合部および前記第２係合部は互いに近づき、前記操作部が前記第２操作位置から前記第１操作位置に移動する場合に、前記第１係合部および前記第２係合部は互いに離れる、請求項１１〜１４のいずれか一項に記載の自転車用バッテリユニット。
【請求項１６】
第１回転軸線、前記第１操作部、および、前記第１係合部を有し、前記第１回転軸線まわりに移動可能に前記ハウジングに設けられる第１操作部材と、
第２回転軸線、前記第２操作部、および、前記第２係合部を有し、前記第２回転軸線まわりに移動可能に前記ハウジングに設けられる第２操作部材と、を含み、
前記第１操作部は、前記第１回転軸線まわりの第３操作位置と、第４操作位置との間で移動可能であり、
前記第２操作部は、前記第２回転軸線まわりの第５操作位置と、第６操作位置との間で移動可能であり、
前記第１回転軸線と前記第１操作部との間に前記第１係合部が設けられ、
前記第２回転軸線と前記第２操作部との間に前記第２係合部が設けられる、請求項１４に記載の自転車用バッテリユニット。
【請求項１７】
前記第１操作部が前記第３操作位置から前記第４操作位置に移動し、前記第２操作部が前記第５操作位置から前記第６操作位置に移動する場合に、前記第１係合部および前記第２係合部は互いに近づき、前記第１操作部が前記第４操作位置から前記第３操作位置に移動し、前記第２操作部が前記第６操作位置から前記第５操作位置に移動する場合に、前記第１係合部および前記第２係合部は互いに離れる、請求項１６に記載の自転車用バッテリユニット。
【請求項１８】
前記第１係合部は、前記第１被係合部と係合した状態で、前記ハウジングが前記第１被係合部に対して下方に移動することを規制し、前記第１被係合部から離間した状態で、前記ハウジングが前記第１被係合部に対して下方に移動することを許容するように構成され、
前記第２係合部は、前記第２被係合部と係合した状態で、前記ハウジングが前記第２被係合部に対して下方に移動することを規制し、前記第２被係合部から離間した状態で、前記ハウジングが前記第２被係合部に対して下方に移動することを許容するように構成される、請求項１１〜１７のいずれか一項に記載の自転車用バッテリユニット。
【請求項１９】
前記第１操作部と前記第２操作部とは、所定の平面に関して対称に設けられる、請求項７、８、および、１４〜１８のいずれか一項に記載の自転車用バッテリユニット。
【請求項２０】
前記第２操作位置から前記第１操作位置に向かう力を前記操作部に付与する付勢部をさらに含む、請求項１〜１９のいずれか一項に記載の自転車用バッテリユニット。
【請求項２１】
前記操作部の移動をガイドするガイド部をさらに含む、請求項１〜２０のいずれか一項に記載の自転車用バッテリユニット。
【請求項２２】
前記ガイド部は、第１凹部および第１凸部の一方を含み、
前記操作部は、前記第１凹部に嵌まる第２凸部、および、第１凸部に嵌まる第２凹部の一方をさらに含む、請求項２１に記載の自転車用バッテリユニット。
【請求項２３】
前記係合部は、前記被係合部と接触可能なローラを含む、請求項１〜２２のいずれか一項に記載の自転車用バッテリユニット。
【請求項２４】
前記ハウジングは、前記自転車のフレームに取り付けられた状態において前記フレームの長手方向における第１端部を含み、
前記操作部および前記係合部は、前記第１端部に設けられる、請求項１〜２３のいずれか一項に記載の自転車用バッテリユニット。
【請求項２５】
前記ハウジングは、前記フレームに取り付けられた状態において前記長手方向における第２端部を含み、
前記第２端部は、前記フレームに設けられる凸部および凹部の少なくとも一方に嵌まる凸部および凹部の少なくとも他方を含む、請求項２４に記載の自転車用バッテリユニット。
【請求項２６】
請求項１〜２５のいずれか一項に記載の自転車用バッテリユニットと、
前記自転車に設けられる前記被係合部と、を含む、自転車用バッテリユニットの取付構造。
【請求項２７】
前記被係合部は、前記係合部を係合可能な凹部を含む、請求項２６に記載の自転車用バッテリユニットの取付構造。
【請求項２８】
前記被係合部は、前記自転車のフレームのダウンチューブに設けられる、請求項２６または２７に記載の自転車用バッテリユニットの取付構造。
【発明の詳細な説明】
【技術分野】
【０００１】
本発明は、自転車用バッテリユニットおよび自転車用バッテリユニットの取付構造に関する。
【背景技術】
【０００２】
特許文献１に開示される自転車では、自転車のフレームに設けられる操作部を操作することによって、自転車用バッテリユニットをフレームから取り外すことができる。
【先行技術文献】
【特許文献】
【０００３】
【特許文献１】特開平９−２２６６５３号公報
【発明の概要】
【発明が解決しようとする課題】
【０００４】
従来の自転車では、ユーザが操作部を操作した場合、自転車用バッテリユニットの移動可能な方向に重力等の外部からの力がかっていると、自転車用バッテリユニットが意図せず移動してしまう場合がある。
【０００５】
本発明の目的は、取り外しを安定して行うことができる自転車用バッテリユニットおよび自転車用バッテリユニットの取付構造を提供することである。
【課題を解決するための手段】
【０００６】
本発明の第１側面に従う自転車用バッテリユニットの一形態は、バッテリセルが設けられるハウジングと、回転軸線、操作部、および、係合部を有し、前記回転軸線まわりに移動可能に前記ハウジングに設けられる操作部材と、を含み、前記操作部は、前記回転軸線まわりの第１操作位置と、第２操作位置との間で移動可能であり、前記係合部は、前記操作部が前記第１操作位置に位置する場合に、自転車に設けられる被係合部と係合し、前記操作部が前記第２操作位置に位置する場合に、前記被係合部から離間するように構成され、前記回転軸線と前記操作部との間に前記係合部が設けられる。
上記第１側面に従えば、操作部が第１操作位置から第２操作位置に移動するとき、ユーザは自転車用バッテリユニットの操作部に触れている。このため、係合部が被係合部から離間しても自転車用バッテリユニットが移動しにくい。このため、自転車用バッテリユニットの取り外しを安定して行うことができる。また、係合部が回転軸線と操作部との間に設けられるため、回転軸線と操作部との距離を一定とした場合に、係合部が回転軸線よりも操作部から遠くに設けられる構成と比較して、操作部材を小さくすることができる。
【０００７】
本発明の第２側面に従う自転車用バッテリユニットの一形態は、バッテリセルが設けられるハウジングと、前記ハウジングに設けられる操作部と、前記操作部に連動する係合部と、を含み、前記操作部は、第１操作位置と、第２操作位置との間で移動可能であり、前記係合部は、前記操作部が前記第１操作位置に位置する場合に、自転車に設けられる被係合部と係合し、前記操作部が前記第２操作位置に位置する場合に、前記被係合部から離間するように構成され、前記操作部は、押されることによって前記第１操作位置から第２操作位置に移動するように構成される。
上記第２側面に従えば、自転車用バッテリユニットの取り外しを安定して行うことができる。また、例えば、ユーザが手で操作部を操作する場合、操作部が第２操作位置に位置するときにユーザの手がハウジングに近くなるため、自転車用バッテリユニットの取り外しをより安定して行うことができる。
【０００８】
本発明の第３側面に従う自転車用バッテリユニットの一形態は、バッテリセルが設けられるハウジングと、前記ハウジングに設けられる操作部と、前記操作部に連動する係合部と、を含み、前記操作部は、第１操作位置と、第２操作位置との間で移動可能であり、前記係合部は、前記操作部が前記第１操作位置に位置する場合に、自転車に設けられる被係合部と係合し、前記操作部が前記第２操作位置に位置する場合に、前記被係合部から離間するように構成され、前記操作部は、第１操作部、および、前記第１操作部とは別体で設けられる第２操作部を含む。
上記第３側面に従えば、自転車用バッテリユニットの取り外しを安定して行うことができる。また、例えば、操作部が第１操作部および第２操作部を含むため、ユーザが手で操作部を操作する場合、ユーザは複数の指を用いて操作部を操作する。このため、自転車用バッテリユニットの取り外しをより安定して行うことができる。
【０００９】
本発明の第４側面に従う自転車用バッテリユニットの一形態は、バッテリセルが設けられるハウジングと、前記ハウジングに設けられる操作部と、前記操作部に連動する係合部と、を含み、前記操作部は、第１操作位置と、第２操作位置との間で移動可能であり、前記係合部は、前記操作部が前記第１操作位置に位置する場合に、自転車に設けられる被係合部と係合し、前記操作部が前記第２操作位置に位置する場合に、前記被係合部から離間するように構成され、前記ハウジングが前記自転車に取り付けられた状態において、前記係合部は、前記自転車の幅方向に移動可能に前記ハウジングに設けられる。
上記第４側面に従えば、自転車用バッテリユニットの取り外しを安定して行うことができる。また、係合部が自転車の幅方向に移動可能なため、操作部が第１操作位置にある場合に、自転車用バッテリユニットの自転車の幅方向と交差する方向への移動を好適に規制できる。
【００１０】
前記第２〜第４側面のいずれか１つに従う第５側面の自転車用バッテリユニットにおいて、回転軸線、前記操作部、および、前記係合部を有し、前記回転軸線まわりに移動可能に前記ハウジングに設けられる操作部材を含み、前記操作部は、前記回転軸線まわりの前記第１操作位置と、前記第２操作位置との間で移動可能であり、前記回転軸線と前記操作部との間に前記係合部が設けられる。
上記第５側面に従えば、係合部が回転軸線と操作部との間に設けられるため、回転軸線と操作部との距離を一定とした場合に、係合部が回転軸線よりも操作部から遠くに設けられる構成と比較して、操作部材を小さくすることができる。
【００１１】
前記第３または第４側面に従う第６側面の自転車用バッテリユニットにおいて、前記操作部は、押されることによって前記第１操作位置から前記第２操作位置に移動するように構成される。
上記第６側面に従えば、自転車用バッテリユニットの取り外しをより安定して行うことができる。
【００１２】
前記第４側面に従う第７側面の自転車用バッテリユニットにおいて、前記操作部は、第１操作部、および、前記第１操作部とは別体で設けられる第２操作部を含む。
上記第７側面に従えば、自転車用バッテリユニットの取り外しをより安定して行うことができる。
【００１３】
前記第７側面に従う第８側面の自転車用バッテリユニットにおいて、前記操作部は、押されることによって前記第１操作位置から前記第２操作位置に移動するように構成される。
上記第８側面に従えば、自転車用バッテリユニットの取り外しをより安定して行うことができる。
【００１４】
前記第６〜第８側面のいずれか１つに従う第９側面の自転車用バッテリユニットにおいて、回転軸線、前記操作部、および、前記係合部を有し、回転軸線まわりに移動可能に前記ハウジングに設けられる操作部材を含み、前記操作部は、前記回転軸線まわりの前記第１操作位置と、前記第２操作位置との間で移動可能であり、前記回転軸線と前記操作部材との間に前記係合部が設けられる。
上記第９側面に従えば、係合部が回転軸線と操作部との間に設けられるため、回転軸線と操作部との距離を一定とした場合に、係合部が回転軸線よりも操作部から遠くに設けられる構成と比較して、操作部材を小さくすることができる。
【００１５】
前記第１〜第９側面のいずれか１つに従う第１０側面の自転車用バッテリユニットにおいて、前記係合部は、前記被係合部と係合した状態で、前記ハウジングが前記被係合部に対して下方に移動することを規制し、前記係合部は、前記被係合部から離間した状態で、前記ハウジングが前記被係合部に対して下方に移動することを許容するように構成される。
上記第１０側面に従えば、自転車用バッテリユニットを下方に移動させて取り外すことができるため、ユーザが自転車用バッテリユニットを持ち上げずに簡単に取り外すことができる。
【００１６】
本発明の第１０側面に従う自転車用バッテリユニットの一形態は、バッテリセルが設けられるハウジングと、前記ハウジングに設けられる操作部と、前記操作部に連動し、自転車の被係合部と係合可能な係合部と、を含み、前記操作部は、第１操作位置と、第２操作位置との間で移動可能であり、前記被係合部は、第１被係合部および第２被係合部を含み、前記係合部は、第１係合部および第２係合部を含み、前記第１係合部は、前記操作部が前記第１操作位置に位置する場合に、前記自転車に設けられる第１被係合部と係合し、前記操作部が前記第２操作位置に位置する場合に、前記第１被係合部から離間するように構成され、前記第２係合部は、前記操作部が前記第１操作位置に位置する場合に、前記自転車に設けられる第２被係合部と係合し、前記操作部が前記第２操作位置に位置する場合に、前記第２被係合部から離間するように構成され、前記操作部が前記第１操作位置から前記第２操作位置に移動する場合に、前記第１係合部および前記第２係合部の相対位置が変化する。
上記第１１側面に従えば、自転車用バッテリユニットの取り外しを安定して行うことができる。また、第１係合部および第２係合部の相対位置を変化させるために第１係合部および第２係合部が異なる方向に移動する。このため、自転車用バッテリユニットを自転車に安定して取り付けることができる。
【００１７】
前記第１１側面に従う第１２側面の自転車用バッテリユニットにおいて、前記操作部は、押されることによって前記第１操作位置から前記第２操作位置に移動するように構成される。
上記第１２側面に従えば、自転車用バッテリユニットの取り外しをより安定して行うことができる。
【００１８】
前記第１１または第１２側面に従う第１３側面の自転車用バッテリユニットにおいて、前記ハウジングが前記自転車に取り付けられた状態において、前記係合部は、前記自転車の幅方向に移動可能に前記ハウジングに設けられる。
上記第１３側面に従えば、操作部が第１操作位置にある場合に、自転車用バッテリユニットの自転車の幅方向と交差する方向への移動を好適に規制できる。
【００１９】
前記第１１〜第１３側面のいずれか１つに従う第１４側面の自転車用バッテリユニットにおいて、前記操作部は、第１操作部、および、前記第１操作部とは別体で設けられる第２操作部を含み、前記第１係合部は、前記第１操作部に連動し、前記第２係合部は、前記第２操作部に連動する。
上記第１４側面に従えば、ユーザが第１操作部および第２操作部のそれぞれを操作することによって自転車用バッテリユニットを自転車から取り外せるようになるため、自転車用バッテリユニットの取り外しをより安定して行うことができる。
【００２０】
前記第１１〜第１４側面のいずれか１つに従う第１５側面の自転車用バッテリユニットにおいて、前記操作部が前記第１操作位置から前記第２操作位置に移動する場合に、前記第１係合部および前記第２係合部は互いに近づき、前記操作部が前記第２操作位置から前記第１操作位置に移動する場合に、前記第１係合部および前記第２係合部は互いに離れる。
上記第１５側面に従えば、第１係合部および第２係合部の間の相対位置を変化させるために第１係合部および第２係合部が反対方向に移動する。このため、自転車用バッテリユニットを自転車に安定して取り付けることができる。
【００２１】
前記第１４側面に従う第１６側面の自転車用バッテリユニットにおいて、第１回転軸線、前記第１操作部、および、前記第１係合部を有し、前記第１回転軸線まわりに移動可能に前記ハウジングに設けられる第１操作部材と、第２回転軸線、前記第２操作部、および、前記第２係合部を有し、前記第２回転軸線まわりに移動可能に前記ハウジングに設けられる第２操作部材と、を含み、前記第１操作部は、前記第１回転軸線まわりの第３操作位置と、第４操作位置との間で移動可能であり、前記第２操作部は、前記第２回転軸線まわりの第５操作位置と、第６操作位置との間で移動可能であり、前記第１回転軸線と前記第１操作部との間に前記第１係合部が設けられ、前記第２回転軸線と前記第２操作部との間に前記第２係合部が設けられる。
上記第１６側面に従えば、第１係合部が第１回転軸線と第１操作部との間に設けられるため、第１回転軸線と第１操作部との距離を一定とした場合に、係合部が回転軸線よりも操作部から遠くに設けられる構成と比較して、第１操作部材を小さくすることができる。第２係合部が第２回転軸線と第２操作部との間に設けられるため、第２回転軸線と第２操作部との距離を一定とした場合に、係合部が回転軸線よりも操作部から遠くに設けられる構成と比較して、第２操作部材を小さくすることができる。
【００２２】
前記第１６側面に従う第１７側面の自転車用バッテリユニットにおいて、前記第１操作部が前記第３操作位置から前記第４操作位置に移動し、前記第２操作部が前記第５操作位置から前記第６操作位置に移動する場合に、前記第１係合部および前記第２係合部は互いに近づき、前記第１操作部が前記第４操作位置から前記第３操作位置に移動し、前記第２操作部が前記第６操作位置から前記第５操作位置に移動する場合に、前記第１係合部および前記第２係合部は互いに離れる。
上記第１７側面に従えば、第１係合部および第２係合部の間の相対位置を変化させるために第１係合部および第２係合部が反対方向に移動する。このため、自転車用バッテリユニットを自転車に安定して取り付けることができる。
【００２３】
前記第１１〜第１７側面のいずれか１つに従う第１８側面の自転車用バッテリユニットにおいて、前記第１係合部は、前記第１被係合部と係合した状態で、前記ハウジングが前記第１被係合部に対して下方に移動することを規制し、前記第１被係合部から離間した状態で、前記ハウジングが前記第１被係合部に対して下方に移動することを許容するように構成され、前記第２係合部は、前記第２被係合部と係合した状態で、前記ハウジングが前記第２被係合部に対して下方に移動することを規制し、前記第２被係合部から離間した状態で、前記ハウジングが前記第２被係合部に対して下方に移動することを許容するように構成される。
上記第１８側面に従えば、ユーザが自転車用バッテリユニットを持ち上げずに簡単に取り外すことができる。
【００２４】
前記第７、第８、および、第１４〜第１８側面のいずれか１つに従う第１９側面の自転車用バッテリユニットにおいて、前記第１操作部と前記第２操作部とは、所定の平面に関して対称に設けられる。
上記第１９側面に従えば、第１係合部および第２係合部を操作し易くすることができる。
【００２５】
前記第１〜第１９側面のいずれか１つに従う第２０側面の自転車用バッテリユニットにおいて、前記第２操作位置から前記第１操作位置に向かう力を前記操作部に付与する付勢部をさらに含む。
上記第２０側面に従えば、操作部が操作されていない場合に操作部は第１操作位置に維持される。
【００２６】
前記第１〜第２０側面のいずれか１つに従う第２１側面の自転車用バッテリユニットにおいて、前記操作部の移動をガイドするガイド部をさらに含む。
上記第２１側面に従えば、ガイド部によって操作部が予め定められる軌跡に沿って移動する。
【００２７】
前記第２１側面に従う第２２側面の自転車用バッテリユニットにおいて、前記ガイド部は、第１凹部および第１凸部の一方を含み、前記操作部は、前記第１凹部に嵌まる第２凸部、および、第１凸部に嵌まる第２凹部の一方をさらに含む。
上記第２２側面に従えば、第１凹部および第１凸部の一方を、第２凸部および第２凹部の一方に嵌め込むことによって簡単な構成で操作部の移動をガイドすることができる。
【００２８】
前記第１〜第２２側面のいずれか１つに従う第２３側面の自転車用バッテリユニットにおいて、前記係合部は、前記被係合部と接触可能なローラを含む。
上記第２３側面に従えば、操作部が第１操作位置と第２操作位置との間で移動するときに、ローラが回転することによって係合部が被係合部からスムーズに離脱させることができ、また、係合部を被係合部にスムーズに係合させることができる。
【００２９】
前記第１〜第２３側面のいずれか１つに従う第２４側面の自転車用バッテリユニットにおいて、前記ハウジングは、前記自転車のフレームに取り付けられた状態において前記フレームの長手方向における第１端部を含み、前記操作部および前記係合部は、前記第１端部に設けられる。
上記第２４側面に従えば、ハウジングの第１端部をフレームの被係合部に係合させることができる。
【００３０】
前記第２４側面に従う第２５側面の自転車用バッテリユニットにおいて、前記ハウジングは、前記フレームに取り付けられた状態において前記長手方向における第２端部を含み、前記第２端部は、前記フレームに設けられる凸部および凹部の少なくとも一方に嵌まる凸部および凹部の少なくとも他方を含む。
上記第２５側面に従えば、ハウジングの第２端部をフレームに設けられる凸部および凹部の少なくとも一方に嵌め込むことによって、ハウジングの第２端部をフレームに係合させることができる。
【００３１】
本発明の第２６側面に従う自転車用バッテリユニットの取付構造の一形態は、前記第１〜第２５側面のいずれか１つに従う自転車用バッテリユニットと、前記自転車に設けられる前記被係合部と、を含む。
上記第２６側面に従えば、自転車用バッテリユニットの取り外しを安定して行うことができる。
【００３２】
前記第２６側面に従う第２７側面の自転車用バッテリユニットの取付構造において、前記被係合部は、前記係合部を係合可能な凹部を含む。
上記第２７側面に従えば、係合部を被係合部に含まれる凹部に嵌め込むことによって、自転車用バッテリユニットを自転車に安定して取り付けることができる。
【００３３】
前記第２６または第２７側面に従う第２８側面の自転車用バッテリユニットの取付構造において、前記被係合部は、前記自転車のフレームのダウンチューブに設けられる。
上記第２８側面に従えば、ダウンチューブに取り付けられる自転車用バッテリユニットの取り外しを安定して行うことができる。
【発明の効果】
【００３４】
本発明の自転車用バッテリユニットおよび自転車用バッテリユニットの取付構造は、取り外しを安定して行うことができる。
【図面の簡単な説明】
【００３５】
【図１】第１実施形態の自転車用バッテリユニットを含む自転車の側面図。
【図２】図１の自転車用バッテリユニットの取付構造を示す部分断面図。
【図３】図２の自転車用バッテリユニットの第１の斜視図。
【図４】図２の自転車用バッテリユニットの第２の斜視図。
【図５】図２の自転車用バッテリユニットの第１端部の平面図。
【図６】図２の自転車用バッテリユニットの第２支持部分を外した状態の支持部の平面図。
【図７】図２の自転車用バッテリユニットの第１支持部分を外した状態の支持部の平面図。
【図８】図６の第１操作部材の斜視図。
【図９】図６の第２操作部材の斜視図。
【図１０】図２の８−８線に沿う断面図。
【図１１】図１０の操作部が第２操作位置にある状態の断面図。
【図１２】図１０の一部を拡大して示す断面図。
【図１３】図２のバッテリホルダの第１の斜視図。
【図１４】図２のバッテリホルダの第２の斜視図。
【図１５】第２実施形態の自転車用バッテリユニットの第２支持部分を外した状態の支持部の平面図。
【図１６】第３実施形態の自転車用バッテリユニットの第２支持部分を外した状態の支持部の平面図。
【発明を実施するための形態】
【００３６】
（第１実施形態）
図１を参照して、自転車用バッテリユニット５０を含む自転車１０について説明する。以下、自転車用バッテリユニットを、単にバッテリユニットと記載する。自転車１０は、マウンテンバイクであってもよく、ロードバイクであってもよく、シティバイクであってもよい。また、自転車１０は、三輪車であってもよく、カーゴバイクであってもよい。
【００３７】
自転車１０は、フレーム１２、フロントフォーク１４、前輪１６Ａ、後輪１６Ｂ、および、ハンドル１８をさらに含む。フレーム１２は、ヘッドチューブ１２Ａ、トップチューブ１２Ｂ、ダウンチューブ１２Ｃ、シートチューブ１２Ｅ、シートステー１２Ｆ、および、チェーンステー１２Ｇを含む。
【００３８】
自転車１０は、バッテリ取付部２２をさらに含む。バッテリ取付部２２は、自転車１０のフレーム１２に設けられる。一例では、バッテリ取付部２２は、フレーム１２の一部を構成する。図１に示される例では、バッテリ取付部２２は、ダウンチューブ１２Ｃの一部を構成する。ダウンチューブ１２Ｃは、ヘッドチューブ１２Ａに連結される連結部１２Ｄと、バッテリ取付部２２とを含む。一例では、バッテリ取付部２２の一方の端部が連結部１２Ｄと接続され、バッテリ取付部２２の他方の端部がシートチューブ１２Ｅと接続される。バッテリ取付部２２とシートチューブ１２Ｅとの間には、ドライブユニットが取り付けられるドライブユニット装着部が設けられてもよい。連結部１２Ｄは、バッテリ取付部２２に一体成形されていてもよく、バッテリ取付部２２とは別体で形成され、溶接または接着等によって一体に接合されていてもよい。バッテリ取付部２２は、フレーム１２とは別体に設けられてもよい。
【００３９】
図２に示されるとおり、バッテリ取付部２２は、バッテリ収容部２６を含む。バッテリ収容部２６の材料は、金属または繊維強化樹脂を含む。一例では、バッテリ収容部２６は、少なくともフレーム１２のうちバッテリ収容部２６に連結されている部分と同じ材料によって形成されることが好ましい。バッテリ収容部２６は、バッテリユニット５０を収容する収容空間２６Ａを形成する。バッテリ収容部２６は、例えば、フレーム１２の延びる方向に延びる。バッテリ収容部２６の外観形状は、自転車１０の種類およびフレーム１２の形状等に合わせて任意にデザインされることが好ましい。
【００４０】
バッテリ収容部２６は、開口２６Ｂをさらに含む。開口２６Ｂは、例えば自転車１０が平地に置かれた状態で下方に開口するように、バッテリ収容部２６に形成されている。開口２６Ｂは、バッテリ収容部２６の収容空間２６Ａと繋がっている。開口２６Ｂは、バッテリユニット５０を収容空間２６Ａに挿入可能な大きさに形成される。バッテリユニット５０は、開口２６Ｂを介して収容空間２６Ａに収容され、バッテリ取付部２２に取り付けられる。
【００４１】
自転車１０は、バッテリユニット５０の取付構造３０を含む。取付構造３０は、バッテリユニット５０と、自転車１０に設けられる被係合部３２（図８参照）と、を含む。取付構造３０は、カバーを含んでもよい。取付構造３０がカバーを含む場合、バッテリユニット５０のハウジング５２は、カバーを取り付け可能なカバー取付部をさらに含むことが好ましい。カバーは、バッテリユニット５０がバッテリ収容部２６の収容空間２６Ａに収容された状態で、開口２６Ｂを覆う。バッテリユニット５０はバッテリ収容部２６およびカバーによって外部から保護される。
【００４２】
図２および図１０に示されるとおり、被係合部３２は、自転車１０に設けられる。被係合部３２は、自転車１０のフレーム１２のダウンチューブ１２Ｃに設けられる。具体的には、取付構造３０は、バッテリホルダ３４およびブラケット３６をさらに含む。被係合部３２が設けられるブラケット３６は、ダウンチューブ１２Ｃに取り付けられる。バッテリホルダ３４は、例えばバッテリ収容部２６の長手方向の一方の端部に設けられる。ブラケット３６は、バッテリ収容部２６の長手方向の他方の端部に設けられる。バッテリホルダ３４は、バッテリ収容部２６の下方側の端部に設けられ、ブラケット３６は、バッテリ収容部２６の上方側の端部に設けられることが好ましい。
【００４３】
図２に示されるとおり、ブラケット３６は、第１部分３７Ａと、第２部分３７Ｂとを有する。第１部分３７Ａは、図１０に示されるとおり、バッテリユニット５０の長手方向に垂直な断面がＵ字形状となるように構成されている。図２に示されるとおり、第２部分３７Ｂは、第１部分３７Ａのバッテリユニット５０の長手方向の一方に設けられている。第１部分３７Ａと第２部分３７Ｂとは一体成形されていてもよい。図１０に示されるとおり、被係合部３２は、バッテリユニット５０の係合部５８を係合可能な凹部３２Ａを含む。被係合部３２は、第１被係合部４０および第２被係合部４２を含む。第１被係合部４０は、自転車１０に設けられる。第２被係合部４２は、自転車１０に設けられる。第１被係合部４０は、ブラケット３６のうちの幅方向の一方の端部（図１０では、自転車１０の右側の端部）に設けられる。第２被係合部４２は、ブラケット３６のうちの幅方向の他方の端部（図１０では、自転車１０の左側の端部）に設けられる。第１被係合部４０は、バッテリユニット５０の第１係合部９４を係合可能な凹部４０Ａを含む。第２被係合部４２は、バッテリユニット５０の第２係合部９６を係合可能な凹部４２Ａを含む。第１被係合部４０および第２被係合部４２は、ブラケット３６の第１部分３７Ａに設けられる。第１被係合部４０および第２被係合部４２は、ブラケット３６の第１部分３７Ａのうち、相互に向き合う部分に設けられる。第１被係合部４０は、係合部５８が係合した状態で、バッテリユニット５０の長手方向に垂直かつ幅方向に垂直な方向、およびバッテリユニット５０の幅方向の外側への係合部５８の移動を規制することができるように構成されることが好ましい。第２被係合部４２は、係合部５８が係合した状態で、バッテリユニット５０の長手方向に垂直かつ幅方向に垂直な方向、およびバッテリユニット５０の幅方向の外側への係合部５８の移動を規制することができるように構成されることが好ましい。ブラケット３６は、第１被係合部４０および第２被係合部４２に係合部を案内する第１案内面３６Ａを含む。第１案内面３６Ａは、第１部分３７Ａの被係合部４０，４２よりもフレーム１２の開口２６Ｂに近い部分に設けられている。ブラケット３６の第２部分３７Ｂは、ブラケット３６にバッテリユニット５０が取り付けられた状態で、バッテリユニット５０がバッテリユニット５０の長手方向への移動することを規制する。バッテリユニット５０がブラケット３６に取り付けられている状態で、第２部分３７Ｂは、フレーム１２の開口２６Ｂに向かってバッテリユニット５０から遠ざかる方向に傾斜する傾斜面３７Ｃ（図２参照）を有する。ブラケット３６の第１部分３７Ａは、ブラケット３６にバッテリユニット５０が取り付けられた状態で、バッテリユニット５０がバッテリ収容部２６の開口２６Ｂとは反対側の方向への移動することを規制する。ブラケット３６の第１部分３７Ａは、フレーム１２の開口２６Ｂに向かってバッテリユニット５０の幅方向に広がる傾斜面（図示しない）を含んでいてもよい。
【００４４】
バッテリユニット５０は、バッテリ取付部２２に取り付けられた状態で、自転車１０に含まれる電気的な要素に電力を供給可能である。自転車１０に含まれる電気的な要素は、電動コンポーネントを含む。電動コンポーネントは、ドライブユニット、電動変速機、電動サスペンション、電動シートポスト、表示装置、サイクルコンピュータ、ランプ、および、電動操作装置のうちの少なくとも１つを含む。ドライブユニットは、自転車１０の推進をアシストするモータを含む。
【００４５】
一例では、バッテリユニット５０は、少なくともハウジング５２と、操作部材５４とを含む。一例では、バッテリユニット５０は、少なくともハウジング５２と、操作部５６と、係合部５８とを含む。バッテリユニット５０は、バッテリセル６０（図２参照）、および、制御部６２（図２参照）、コネクタ６４（図３参照）、付勢部６６、ガイド部６８、および、弾性部材７０をさらに含む。
【００４６】
図２に示されるとおり、バッテリセル６０および制御部６２は、ハウジング５２に設けられる。バッテリセル６０は、１つでもよく、複数であってもよい。バッテリセル６０は、例えば円柱形状を有する。バッテリセル６０は、充電池を含む。バッテリセル６０は、好ましくはリチウムイオン電池を含む。
【００４７】
制御部６２は、予め定められる制御プログラムを実行する演算処理装置を含む。演算処理装置は、例えばＣＰＵ（Central Processing Unit）またはＭＰＵ（Micro Processing Unit）を含む。制御部６２は、１または複数のマイクロコンピュータを含んでいてもよい。制御部６２は、記憶部をさらに含む。記憶部は、不揮発性メモリを含む。制御部６２は、通信部をさらに含んでいてもよい。通信部は、例えば、電力線通信（ＰＬＣ；Power Line Communication）を行うための通信回路を含む。
【００４８】
ハウジング５２は、第１端部７４、および、第２端部７６を含む。ハウジング５２の材料は、樹脂材料を含む。ハウジング５２は、略直方体形状に形成されている。ハウジング５２は、長手方向を有する。ハウジング５２の長手方向は、バッテリユニット５０が自転車１０のフレーム１２に取り付けられた状態において、フレーム１２の長手方向と一致する。バッテリセル６０および制御部６２は、ハウジング５２に収容される。第１端部７４は、自転車１０のフレーム１２に取り付けられた状態においてフレーム１２の長手方向におけるハウジング５２の一方の端部である。第２端部７６は、自転車１０のフレーム１２に取り付けられた状態においてフレーム１２の長手方向におけるハウジング５２の他方の端部である。第２端部７６は、フレーム１２に設けられる凸部および凹部の少なくとも一方に嵌まる凸部および凹部の少なくとも他方を含む。本実施形態では、第２端部７６は、フレーム１２に設けられる凸部４６Ａに嵌まる凹部７６Ａを含む。
【００４９】
図４に示されるとおり、コネクタ６４は、ハウジング５２に設けられる。コネクタ６４は、ハウジング５２の第２端部７６に設けられる。コネクタ６４は、１つ以上の電気端子を含む。コネクタ６４は、凸部または凹部を含む。コネクタ６４は、バッテリセル６０（図２参照）に電気的に接続される。コネクタ６４とバッテリセル６０とは、電線によって接続される。コネクタ６４は、制御部６２（図２参照）と電気的に接続される。コネクタ６４と制御部６２とは、電線によって接続される。制御部６２が電線によって電力線通信を行う場合には、電線は、電力通信線を含む。
【００５０】
図３に示されるとおり、操作部５６は、ハウジング５２に設けられる。操作部５６および係合部５８は、第１端部７４に設けられる。具体的には、操作部５６および係合部５８を有する操作部材５４を支持する支持部８０が第１端部７４に取り付けられる。支持部８０は、ハウジング５２の長手方向において第１端部７４の端面に取り付けられる。支持部８０には、操作部材５４、第１支持部分８２、第２支持部分８４、付勢部６６（図５参照）、ガイド部６８（図５参照）、および、弾性部材７０が設けられる。
【００５１】
バッテリユニット５０の幅方向において、第１支持部分８２は、第２支持部分８４よりも大きい。第１支持部分８２と第２支持部分８４とは、ハウジング５２の長手方向において互いに重ね合わせられる。ハウジング５２の長手方向において第１支持部分８２のうちの第２支持部分８４に重ならない部分には、１つ以上の孔８２Ａ（図６参照）が形成されている。孔８２Ａには、ボルトＢが挿入される。ボルトＢが孔８２Ａに挿入され、ハウジング５２の第１端部７４に設けられるねじ孔に挿入されることによって、支持部８０が第１端部７４に取り付けられる。支持部８０には、弾性部材７０が取り付けられる。弾性部材７０は、例えばゴムを含む。弾性部材７０は、支持部８０のうちのブラケット３６と対向する部分に取り付けられる。支持部８０は、バッテリユニット５０の長手方向に垂直かつ幅方向に垂直な方向のうち、バッテリ収容部２６の開口２６Ｂとは反対側の方向と、バッテリユニット５０の幅方向と、バッテリユニット５０の長手方向のうち第２端部から第１端部に向かう方向との少なくとも１つにおいて、ブラケット３６と対向するように構成される。弾性部材７０は、バッテリユニット５０をブラケット３６に取り付けた状態で、ブラケット３６に接触し、支持部８０とブラケット３６との間に挟まれるように構成される。
【００５２】
図６に示されるとおり、操作部材５４は、回転軸線Ｃ、操作部５６、および、係合部５８を有する。一例では、操作部材５４は、回転軸線Ｃを有する軸受部８６をさらに含む。操作部材５４は、回転軸線Ｃまわりに移動可能にハウジング５２に設けられる。操作部材５４の少なくとも一部は、第１支持部分８２と、第２支持部分８４との間に挟み込まれる。操作部材５４の少なくとも一部は、支持部８０の第１支持部分８２と、第２支持部分８４との間に形成される空間に収容される。
【００５３】
図８および図９に示されるとおり、操作部材５４は、第１端部５４Ａ、第２端部５４Ｂ、および、第１端部５４Ａと第２端部５４Ｂとの間の中間部５４Ｃを含む。軸受部８６は、操作部材５４のうちの第１端部５４Ａに設けられる。軸受部８６には、孔８６Ａが形成されている。孔８６Ａの中心軸は、回転軸線Ｃと一致する。軸受部８６に形成される孔８６Ａには、軸部材８８が挿入される。軸部材８８は、第１支持部分８２と第２支持部分８４とに回転不能に支持される。軸受部８６は、軸部材８８に回転可能に支持される。軸部材８８は、軸受部８６を回転不能に支持し、第１支持部分８２および第２支持部分８４に回転可能に支持されてもよい。軸部材８８は、軸受部８６を回転可能に支持し、第１支持部分８２および第２支持部分８４に回転可能に支持されてもよい。軸部材８８の中心軸は、回転軸線Ｃと一致する。軸受部８６と軸部材８８とは、一体成形されていてもよい。回転軸線Ｃは、ハウジング５２の長手方向に平行に延びていることが好ましい。
【００５４】
図１０および図１１に示されるとおり、操作部５６は、回転軸線Ｃまわりの第１操作位置Ｐ１と、第２操作位置Ｐ２との間で移動可能である。操作部５６は、操作部材５４のうちの第２端部５４Ｂに設けられる。操作部５６は、ユーザが操作可能に構成される。図８および図９に示されるとおり、操作部材５４は、中間部５４Ｃから第１端部５４Ａまでの第１部分５４Ｄと、中間部５４Ｃから第２端部５４Ｂまでの第２部分５４Ｅとを含む。操作部材５４は、回転軸線Ｃ方向から見て、中間部５４Ｃで折れ曲がった形状を有する。第１部分５４Ｄの延びる方向と第２部分５４Ｅの延びる方向とが所定角度を形成する。所定角度は、０°よりも大きく、９０°以下に選ばれることが好ましい。操作部５６に含まれる第２端部５４Ｂは、第２支持部分８４からバッテリユニット５０の幅方向の外側に突出する。操作部５６は、第１操作位置Ｐ１にあるとき、第２操作位置Ｐ２にあるときよりも第２支持部分８４からの突出量が大きい。
【００５５】
係合部５８は、回転軸線Ｃと操作部５６との間に設けられる。係合部５８は、操作部材５４のうちの第１端部５４Ａと第２端部５４Ｂとの間の部分に設けられる。係合部５８は、操作部材５４のうちの第１部分５４Ｄに設けられる。操作部５６が第１操作位置Ｐ１にあるとき、係合部５８は、回転軸線Ｃに平行な方向から見て、バッテリユニット５０の幅方向において、回転軸線Ｃからオフセットした位置に配置されるよう操作部材５４に設けられている。本実施形態では、係合部５８は、操作部材５４のうちのバッテリユニット５０の幅方向の外側の部分に設けられている。ハウジング５２が自転車１０に取り付けられた状態において、係合部５８は、自転車１０の幅方向に移動可能にハウジング５２に設けられる。図１２に示されるとおり、係合部５８は、回転軸線Ｃに平行な方向から見て、所定の領域Ｒに位置する。所定の領域Ｒは、回転軸線Ｃに平行な方向から見て、第１仮想線Ａ１と第２仮想線Ａ２との間の領域を含む。第１仮想線Ａ１は、回転軸線Ｃと操作部５６のうちの回転軸線Ｃから最も離間した点とを結ぶ直線Ｌに垂直で、回転軸線Ｃを通る。第２仮想線Ａ２は、直線Ｌに垂直で、操作部５６のうち回転軸線Ｃから最も離間した点を通る。本実施形態において、軸受部８６、操作部５６、および、係合部５８は、回転軸線Ｃ方向に垂直な方向から見て、少なくとも一部分が重なるように配置されている。軸受部８６、操作部５６、および、係合部５８の少なくとも１つは、回転軸線Ｃ方向に垂直な方向から見て、軸受部８６、操作部５６、および、係合部５８のうちの他のものと重ならないように配置されていてもよい。操作部材５４は、操作部５６が第１操作位置Ｐ１にあるときおよび第２操作位置Ｐ２にあるときのいずれの場合においても、回転軸線Ｃに平行な方向から見て、ハウジング５２の外周縁の範囲内に設けられていることが好ましい。
【００５６】
図１０および図１１に示されるとおり、係合部５８は、被係合部３２と係合可能である。係合部５８は、被係合部３２と接触可能なローラ５８Ａを含む。係合部５８は、操作部５６に連動する。係合部５８は、操作部５６が第１操作位置Ｐ１に位置する場合に、被係合部３２と係合するように構成される。係合部５８は、操作部５６が第２操作位置Ｐ２に位置する場合に、被係合部３２から離間するように構成される。係合部５８は、被係合部３２と係合した状態で、ハウジング５２が被係合部３２に対して下方に移動することを規制するように構成される。係合部５８は、被係合部３２から離間した状態で、ハウジング５２が被係合部３２に対して下方に移動することを許容するように構成される。係合部５８は、操作部５６が第１操作位置Ｐ１にあるとき、操作部５６が第２操作位置Ｐ２にあるときよりも第２支持部分８４からの突出量が大きい。ローラ５８Ａは、回転軸線Ｃに平行な軸線まわりに回転可能に構成されている。操作部材５４の第１部分５４Ｄには、ローラ５８Ａを支持する支持軸が設けられている。ローラ５８Ａと支持軸との間には、スリーブまたはベアリングが設けられていてもよい。
【００５７】
付勢部６６は、第２操作位置Ｐ２から第１操作位置Ｐ１に向かう力を操作部５６に付与する。付勢部６６は、例えば、ばねを含む。ばねは、例えば、コイルばね、板ばねなどを含む。付勢部６６がコイルばねを含む場合、コイルばねは、軸受部８６に巻き掛けられる。コイルばねの一端部は操作部材５４に接触し、他端部は支持部８０に接触する。操作部５６に外部からの力が付与されていない状態では、付勢部６６は操作部５６を第１操作位置Ｐ１に保持する。
【００５８】
操作部５６は、第１操作部９０、および、第１操作部９０とは別体で設けられる第２操作部９２を含む。第１操作部９０と第２操作部９２とは、所定の平面に関して対称に設けられる。所定の平面は、第１操作部９０と第２操作部９２とは、バッテリユニット５０の長手方向と平行し、かつ、バッテリユニット５０の幅方向と直交することが好ましい。所定の平面は、さらにバッテリユニット５０の幅方向の中心を通ることが好ましい。係合部５８は、第１係合部９４および第２係合部９６を含む。回転軸線Ｃは、第１回転軸線Ｃ１および第２回転軸線Ｃ２を含む。第１操作位置Ｐ１は、第３操作位置Ｐ３および第５操作位置Ｐ５を含む。第２操作位置Ｐ２は、第４操作位置Ｐ４および第６操作位置Ｐ６を含む。軸受部８６は、第１軸受部９８と、第２軸受部１００とを含む。操作部材５４は、第１操作部材１０２と、第２操作部材１０４と、を含む。付勢部６６は、第１付勢部６６Ａおよび第２付勢部６６Ｂを含む。軸部材８８は、第１軸部材８８Ａおよび第２軸部材８８Ｂを含む。バッテリユニット５０は、第１操作部材１０２と、第２操作部材１０４と、を含む。第１操作部材１０２と第２操作部材１０４とは、所定の平面に関して対称に設けられる。第１操作部材１０２と第２操作部材１０４とは、所定の平面に関して面対称の形状を有する。
【００５９】
図３に示されるとおり、第１操作部９０は、ハウジング５２に設けられる。第１操作部９０および第１係合部９４は、第１端部７４に設けられる。具体的には、第１操作部９０および第１係合部９４を有する第１操作部材１０２を支持する支持部８０が、ハウジング５２の第１端部７４に取り付けられる。支持部８０には、第１操作部材１０２、第１支持部分８２、第２支持部分８４、第１付勢部６６Ａ、第１ガイド部６８Ａ、第２ガイド部６８Ｂ、および、弾性部材７０が設けられる。
【００６０】
図６に示されるとおり、第１操作部材１０２は、第１回転軸線Ｃ１、操作部５６、および、第１係合部９４を有する。一例では、第１操作部材１０２は、第１軸受部９８をさらに含む。第１操作部材１０２は、第１回転軸線Ｃ１まわりに移動可能にハウジング５２に設けられる。第１操作部材１０２の少なくとも一部は、第１支持部分８２と、第２支持部分８４との間に挟み込まれる。第１操作部材１０２の少なくとも一部は、第１支持部分８２と第２支持部分８４との間に形成される空間に収容される。
【００６１】
図８に示されるとおり、第１操作部材１０２は、第１端部１０２Ａ、第２端部１０２Ｂ、および、第１端部１０２Ａと第２端部１０２Ｂとの間の中間部１０２Ｃを含む。第１軸受部９８は、第１操作部材１０２のうちの第１端部１０２Ａに設けられる。第１軸受部９８には、孔９８Ａが形成されている。孔９８Ａの中心軸は、第１回転軸線Ｃ１と一致する。第１軸受部９８に形成される孔９８Ａには、第１軸部材８８Ａが挿入される。第１軸部材８８Ａは、第１支持部分８２と第２支持部分８４とに回転不能に支持される。第１軸受部９８は、第１軸部材８８Ａに回転可能に支持される。第１軸部材８８Ａは、第１軸受部９８を回転不能に支持し、第１支持部分８２および第２支持部分８４に回転可能に支持されてもよい。第１軸部材８８Ａの中心軸は、第１回転軸線Ｃ１と一致する。第１軸受部９８と第１軸部材８８Ａとは、一体成形されていてもよい。第１回転軸線Ｃ１は、ハウジング５２の長手方向に平行に延びていることが好ましい。
【００６２】
図１０および図１１に示されるとおり、第１操作部９０は、第１回転軸線Ｃ１まわりの第３操作位置Ｐ３と、第４操作位置Ｐ４との間で移動可能である。第１操作部９０は、第１操作部材１０２のうちの第２端部１０２Ｂに設けられる。第１操作部９０は、ユーザが操作可能に構成される。図８に示されるとおり、第１操作部材１０２は、中間部１０２Ｃから第１端部１０２Ａまでの第１部分１０２Ｄと、中間部１０２Ｃから第２端部１０２Ｂまでの第２部分１０２Ｅとを含む。第１操作部材１０２は、第１回転軸線Ｃ１方向から見て、中間部１０２Ｃで折れ曲がった形状を有する。第１部分１０２Ｄの延びる方向と第２部分１０２Ｅの延びる方向とが所定角度を形成する。所定角度は、０°よりも大きく、９０°以下に選ばれることが好ましい。第１操作部９０に含まれる第２端部１０２Ｂは、第２支持部分８４からバッテリユニット５０の幅方向の外側に突出する。第１操作部９０は、第３操作位置Ｐ３にあるとき、第４操作位置Ｐ４にあるときよりも第２支持部分８４からの突出量が大きい。
【００６３】
第１係合部９４は、第１回転軸線Ｃ１と第１操作部９０との間に設けられる。第１係合部９４は、第１操作部材１０２のうちの第１端部１０２Ａと第２端部１０２Ｂとの間に設けられる。第１係合部９４は、第１操作部材１０２のうちの第１部分１０２Ｄに設けられる。第１操作部９０が第３操作位置Ｐ３にあるとき、第１係合部９４は、第１回転軸線Ｃ１に平行な方向から見て、バッテリユニット５０の幅方向において、第１回転軸線Ｃ１からオフセットした位置に配置されるように第１操作部材１０２に設けられている。本実施形態では、第１係合部９４は、第１操作部材１０２のうちのバッテリユニット５０の幅方向の外側の部分に設けられている。ハウジング５２が自転車１０に取り付けられた状態において、第１係合部９４は、自転車１０の幅方向に移動可能にハウジング５２に設けられる。図１２に示されるとおり、第１係合部９４は、第１回転軸線Ｃ１に平行な方向から見て、所定の領域Ｒに位置する。本実施形態において、第１軸受部９８、第１操作部９０、および、第１係合部９４は、第１回転軸線Ｃ１方向に垂直な方向から見て、少なくとも一部分が重なるように配置されている。第１軸受部９８、第１操作部９０、および、第１係合部９４の少なくとも１つは、第１回転軸線Ｃ１方向に垂直な方向から見て、第１軸受部９８、第１操作部９０、および、第１係合部９４のうちの他のものと重ならないように配置されていてもよい。第１操作部材１０２は、第１操作部９０が第３操作位置Ｐ３にあるときおよび第４操作位置Ｐ４にあるときのいずれにおいても、第１回転軸線Ｃ１に平行な方向から見て、ハウジング５２の外周縁の範囲内に設けられていることが好ましい。
【００６４】
図１０および図１１に示されるとおり、第１係合部９４は、第１被係合部４０と係合可能である。第１係合部９４は、第１被係合部４０と接触可能なローラ９４Ａを含む。第１係合部９４は、第１操作部９０に連動する。第１係合部９４は、第１操作部９０が第３操作位置Ｐ３に位置する場合に、第１被係合部４０と係合する。第１係合部９４は、第１操作部９０が第４操作位置Ｐ４に位置する場合に、第１被係合部４０から離間するように構成される。第１係合部９４は、第１被係合部４０と係合した状態で、ハウジング５２が第１被係合部４０に対して下方に移動することを規制するように構成される。第１係合部９４は、第１被係合部４０から離間した状態で、ハウジング５２が第１被係合部４０に対して下方に移動することを許容するように構成される。第１係合部９４は、第１操作部９０が第３操作位置Ｐ３にあるとき、第１操作部９０が第４操作位置Ｐ４にあるときよりも第２支持部分８４からの突出量が大きい。ローラ９４Ａは、第１回転軸線Ｃ１に平行な軸線回りに回転可能に構成されている。第１操作部材１０２の第１部分１０２Ｄには、ローラ９４Ａを支持する支持軸が設けられている。ローラ９４Ａと支持軸との間には、スリーブまたはベアリングが設けられていてもよい。
【００６５】
第１付勢部６６Ａは、第４操作位置Ｐ４から第３操作位置Ｐ３に向かう力を第１操作部９０に付与する。第１付勢部６６Ａは、例えば、ばねを含む。ばねは、例えば、コイルばね、板ばねなどを含む。第１付勢部６６Ａがコイルばねを含む場合、コイルばねは、第１軸受部９８に巻き掛けられる。コイルばねの一端部は、第１操作部材１０２に接触し、他端部は支持部８０に接触する。第１操作部９０に外部からの力が付与されていない状態では、第１付勢部６６Ａは第１操作部９０を第３操作位置Ｐ３に保持する。
【００６６】
図３に示されるとおり、第２操作部９２は、ハウジング５２に設けられる。第２操作部９２および第２係合部９６は、第１端部７４に設けられる。具体的には、第２操作部９２および第２係合部９６を有する第２操作部材１０４を支持する支持部８０が、ハウジング５２の第１端部７４に取り付けられる。支持部８０には、第２操作部材１０４、第１支持部分８２、第２支持部分８４、第２付勢部６６Ｂ、第１ガイド部６８Ａ、第２ガイド部６８Ｂ、および、弾性部材７０が設けられる。
【００６７】
図６に示されるとおり、第２操作部材１０４は、第２回転軸線Ｃ２、第２操作部９２、および、第２係合部９６を有する。一例では、第２操作部材１０４は、第２軸受部１００をさらに含む。第２操作部材１０４は、第２回転軸線Ｃ２まわりに移動可能にハウジング５２に設けられる。第２操作部材１０４の少なくとも一部は、第１支持部分８２と、第２支持部分８４との間に挟み込まれる。第２操作部材１０４の少なくとも一部は、第１支持部分８２と第２支持部分８４との間に形成される空間に収容される。
【００６８】
図９に示されるとおり、第２操作部材１０４は、第１端部１０４Ａ、第２端部１０４Ｂ、および、第１端部１０４Ａと第２端部１０４Ｂとの間の中間部１０４Ｃを含む。第２軸受部１００は、第２操作部材１０４のうちの第１端部１０４Ａに設けられる。第２軸受部１００には、孔１００Ａが形成されている。孔１００Ａの中心軸は、第２回転軸線Ｃ２と一致する。第２軸受部１００形成される孔１００Ａには、第２軸部材８８Ｂが挿入される。第２軸部材８８Ｂは、第１支持部分８２と第２支持部分８４とに回転不能に支持される。第２軸受部１００は、第２軸部材８８Ｂに回転可能に支持される。第２軸部材８８Ｂは、第２軸受部１００を回転不能に支持し、第１支持部分８２および第２支持部分８４に回転可能に支持されてもよい。第２軸部材８８Ｂの中心軸は、第２回転軸線Ｃ２と一致する。第２軸受部１００と第２軸部材８８Ｂとは、一体成形されていてもよい。第２回転軸線Ｃ２は、ハウジング５２の長手方向に平行に延びていることが好ましい。
【００６９】
図１０および図１１に示されるとおり、第２操作部９２は、第２回転軸線Ｃ２まわりの第５操作位置Ｐ５と、第６操作位置Ｐ６との間で移動可能である。第２操作部９２は、第２操作部材１０４のうちの第２端部１０４Ｂに設けられる。第２操作部９２は、ユーザが操作可能に構成される。図９に示されるとおり、第２操作部材１０４は、中間部１０４Ｃから第１端部１０４Ａまでの第１部分１０４Ｄと、中間部１０４Ｃから第２端部１０４Ｂまでの第２部分１０２Ｅとを含む。第２操作部材１０４は、第２回転軸線Ｃ２方向から見て、中間部１０４Ｃで折れ曲がった形状を有する。第１部分１０４Ｄの延びる方向と第２部分１０４Ｅの延びる方向とが所定角度を形成する。所定角度は、０°よりも大きく、９０°以下に選ばれることが好ましい。第２操作部９２に含まれる第２端部１０４Ｂは、第２支持部分８４からバッテリユニット５０の幅方向の外側に突出する。第２操作部９２は、第５操作位置Ｐ５にあるとき、第６操作位置Ｐ６にあるときよりも第２支持部分８４からの突出量が大きい。
【００７０】
第２係合部９６は、第２回転軸線Ｃ２と第２操作部９２との間に設けられる。第２係合部９６は、第２操作部材１０４のうちの第１端部１０４Ａと第２端部１０４Ｂとの間に設けられる。第２係合部９６は、第２操作部材１０４のうちの第１部分１０４Ｄに設けられる。第２操作部９２が第５操作位置Ｐ５にあるとき、第２係合部９６は、第２回転軸線Ｃ２に平行な方向から見て、バッテリユニット５０の幅方向において、第１回転軸線Ｃ１からオフセットした位置に配置されるように第２操作部材１０４に設けられている。本実施形態では、第２係合部９６は、第２操作部材１０４のうちのバッテリユニット５０の幅方向の外側の部分に設けられている。ハウジング５２が自転車１０に取り付けられた状態において、第２係合部９６は、自転車１０の幅方向に移動可能にハウジング５２に設けられる。図１２に示す第１係合部９４と同様に、第２係合部９６は、第２回転軸線Ｃ２に平行な方向から見て、所定の領域Ｒに位置する。本実施形態において、第２軸受部１００、第２操作部９２、および、第２係合部９６は、第２回転軸線Ｃ２方向に垂直な方向から見て、少なくとも一部分が重なるように配置されている。第２軸受部１００、第２操作部９２、および、第２係合部９６の少なくとも１つは、第２回転軸線Ｃ２方向に垂直な方向から見て、第２軸受部１００、第２操作部９２、および、第２係合部９６のうちの他のものと重ならないように配置されていてもよい。第２操作部材１０４は、第２操作部９２が第５操作位置Ｐ５にあるときおよび第６操作位置Ｐ６にあるときのいずれにおいても、第２回転軸線Ｃ２に平行な方向から見て、ハウジング５２の外周縁の範囲内に設けられていることが好ましい。
【００７１】
図１０および図１１に示されるとおり、第２係合部９６は、第２被係合部４２と係合可能である。第２係合部９６は、第２被係合部４２と接触可能なローラ９６Ａを含む。第２係合部９６は、第２操作部９２に連動する。第２係合部９６は、第２操作部９２が第５操作位置Ｐ５に位置する場合に、第２被係合部４２と係合する。第２係合部９６は、第２操作部９２が第６操作位置Ｐ６に位置する場合に、第２被係合部４２から離間するように構成される。第２係合部９６は、第２被係合部４２と係合した状態で、ハウジング５２が第２被係合部４２に対して下方に移動することを規制するように構成される。第２係合部９６は、第２被係合部４２から離間した状態で、ハウジング５２が第２被係合部４２に対して下方に移動することを許容するように構成される。第２係合部９６は、第２操作部９２が第５操作位置Ｐ５にあるとき、第２操作部９２が第６操作位置Ｐ６にあるときよりも第２支持部分８４からの突出量が大きい。ローラ９６Ａは、第２回転軸線Ｃ２に平行な軸線回りに回転可能に構成されている。第２操作部材１０４の第１部分１０４Ｄには、ローラ９６Ａを支持する支持軸が設けられている。ローラ９６Ａと支持軸との間には、スリーブまたはベアリングが設けられていてもよい。
【００７２】
第２付勢部６６Ｂは、第６操作位置Ｐ６から第５操作位置Ｐ５に向かう力を第２操作部９２に付与する。第２付勢部６６Ｂは、例えば、ばねを含む。ばねは、例えば、コイルばね、板ばねなどを含む。第２付勢部６６Ｂがコイルばねを含む場合、コイルばねは、第２軸受部１００に巻き掛けられる。コイルばねの一端部は、第２操作部材１０４に接触し、他端部は支持部８０に接触する。第２操作部９２に外部からの力が付与されていない状態では、第１付勢部６６Ａは第２操作部９２を第５操作位置Ｐ５に保持する。
【００７３】
操作部５６は、押されることによって第１操作位置Ｐ１から第２操作位置Ｐ２に移動するように構成される。
操作部５６が第１操作位置Ｐ１から第２操作位置Ｐ２に移動する場合に、第１係合部９４および第２係合部９６の相対位置が変化する。操作部５６が第１操作位置Ｐ１から第２操作位置Ｐ２に移動する場合に、第１係合部９４および第２係合部９６は互いに近づく。第１操作部９０が第３操作位置Ｐ３から第４操作位置Ｐ４に移動し、第２操作部９２が第５操作位置Ｐ５から第６操作位置Ｐ６に移動する場合に、第１係合部９４および第２係合部９６は互いに近づく。具体的には、第１操作部９０が第３操作位置Ｐ３から第４操作位置Ｐ４に移動する場合、第１係合部９４は、バッテリユニット５０の幅方向の中央に向かって移動する。第２操作部９２が第５操作位置Ｐ５から第６操作位置Ｐ６に移動する場合、第２係合部９６は、バッテリユニット５０の幅方向の中央に向かって移動する。
【００７４】
操作部５６が第２操作位置Ｐ２から第１操作位置Ｐ１に移動する場合に、第１係合部９４および第２係合部９６は互いに離れる。第１操作部９０が第４操作位置Ｐ４から第３操作位置Ｐ３に移動し、第２操作部９２が第６操作位置Ｐ６から第５操作位置Ｐ５に移動する場合に、第１係合部９４および第２係合部９６は互いに離れる。具体的には、第１操作部９０が第４操作位置Ｐ４から第３操作位置Ｐ３に移動する場合、第１係合部９４は、バッテリユニット５０の幅方向の外側（図１１では、右側）に向かって移動する。第２操作部９２が第６操作位置Ｐ６から第５操作位置Ｐ５に移動する場合、第２係合部９６は、バッテリユニット５０の幅方向の外側（図１１では、左側）に向かって移動する。
【００７５】
図６および図７に示すガイド部６８は、操作部５６の移動をガイドする。ガイド部６８は、支持部８０に設けられる。ガイド部６８は、第１凹部および第１凸部の一方を含む。操作部５６は、第１凹部に嵌まる第２凸部、および、第１凸部に嵌まる第２凹部の一方をさらに含む。本実施形態では、ガイド部６８は、第１凹部を含み、操作部５６は、第２凸部５６Ａを含む。第１凹部は、第１支持部分８２のうちの第２支持部分８４側の面に形成される溝と、第２支持部分８４のうちの第１支持部分８２側の面に形成される溝とによって構成される。第２凸部５６Ａは、第１支持部分８２の溝に嵌め込まれる第１部分５６Ｂと、第２支持部分８４の溝に嵌め込まれる第２部分５６Ｃとを含む。第１凹部の溝は、操作部５６が第１操作位置Ｐ１と第２操作位置Ｐ２との間で移動する場合に、第２部分５６Ｃが移動する軌跡と対応する円弧状に形成される。ガイド部６８は、第１ガイド部６８Ａおよび第２ガイド部６８Ｂを含む。第１操作部９０および第２操作部９２は、それぞれ第２凸部５６Ａを含む。第１ガイド部６８Ａには、第１操作部９０の第２凸部５６Ａが嵌め込まれる。第１ガイド部６８Ａは、第１操作部９０の移動をガイドする。第２ガイド部６８Ｂには、第２操作部９２の第２凸部５６Ａが嵌め込まれる。第２ガイド部６８Ｂは、第２操作部９２の移動をガイドする。
【００７６】
図５に示されるとおり、支持部８０は、回転軸線Ｃから操作部５６よりも離れた位置に、バッテリユニット５０の幅方向に突出する突出部８１をさらに含む。突出部８１は、バッテリユニット５０の長手方向に垂直かつ幅方向に垂直な方向から見て、第１操作位置Ｐ１にある操作部５６に重なるように構成されている。バッテリユニット５０の下側から見て、第１操作位置Ｐ１にある操作部５６が突出部８１によって隠れるように、突出部８１が形成されることが好ましい。
【００７７】
図１３に示されるとおり、バッテリホルダ３４は、プラグ取付部４４、ホルダ本体４６、および、プラグ支持部４８を含む。プラグ取付部４４は、バッテリ収容部２６内に配置され、バッテリ収容部２６（図２参照）にボルト等を介して取り付けられる。ホルダ本体４６は、バッテリ収容部２６内に配置され、バッテリ収容部２６にボルト等を介して取り付けられる。プラグ支持部４８は、プラグ取付部４４に取り付けられる。
【００７８】
ホルダ本体４６は、バッテリユニット５０を保持可能である。ホルダ本体４６は、Ｕ字形状を有する。フレーム１２の幅方向において、ホルダ本体４６の両端部は、バッテリ収容部２６の長手方向に突出する凸部４６Ａを含む。図１４に示されるとおり、凸部４６Ａは、バッテリユニット５０の第２端部７６に形成される凹部７６Ａに嵌合可能に構成される。ホルダ本体４６の両端部間の中間部が、バッテリ収容部２６に固定される。
【００７９】
図１３に示されるとおり、プラグ取付部４４は、Ｕ字形状を有する。プラグ取付部４４の両端部の少なくとも一部と、プラグ支持部４８の少なくとも一部とは、ホルダ本体４６に囲まれる領域に配置される。プラグ取付部４４の両端部間の中間部が、バッテリ収容部２６に固定される。プラグ取付部４４は、Ｕ字形状の開口が開口２６Ｂを向くようにバッテリ収容部２６内に配置される。プラグ支持部４８は、プラグＰが嵌め込まれる孔４８Ａおよび軸部４８Ｂを含む。軸部４８Ｂは、プラグ支持部４８の幅方向の両端部からプラグ支持部４８の幅方向の内側に向かって突出する。プラグ支持部４８の幅方向は、自転車の幅方向と等しい。プラグ支持部４８の幅方向の両端部とホルダ本体４６との間には、プラグ取付部４４の一部が配置されている。軸部４８Ｂは、プラグ取付部４４に形成される凹部（図示略）に嵌め込まれる。プラグ取付部４４は、プラグ支持部４８を軸部４８Ｂの回転軸線まわりに回転可能に支持する。プラグＰは、プラグ支持部４８の孔４８Ａに挿入されて固定されている。プラグＰは、プラグ支持部４８からブラケット３６（図２参照）側に突出していることが好ましい。プラグ支持部４８を軸部４８Ｂの回転軸線まわりに回転させることによって、バッテリユニット５０をバッテリホルダ３４に取り付け、または、バッテリホルダ３４から取り外しするときに、バッテリユニット５０のコネクタをプラグＰに取り付け、または、バッテリホルダ３４から取り外ししやすくできる。プラグ支持部４８は、外部から力が与えられていない状態で、自重によって軸部４８Ｂの回転軸線まわりに回転し、プラグＰがフレーム１２の長手方向から下方に傾斜した方向に向くように構成されることが好ましい。軸部４８Ｂに、ばねなどの付勢部材を設けて、プラグ支持部４８は、外部から力が与えられていない状態で、プラグＰがフレームの長手方向から下方に傾斜した方向に向くように付勢してもよい。プラグ支持部４８には、軸部４８Ｂの回転軸線まわりに回転を規制する規制部４９が設けられる。規制部４９は、バッテリユニット５０がフレーム１２に取り付けられていない状態において、プラグ取付部４４に接触し、プラグ支持部４８を位置決めしている。プラグ支持部４８は、ブラケット３６（図２参照）側に突出するガイド部４８Ｃをさらに含む。図１４に示されるとおり、ガイド部４８Ｃは、バッテリユニット５０の下方の面に接触可能に構成される。ガイド部４８Ｃは、プラグ支持部４８から離れるにつれて、プラグ支持部４８の幅方向と垂直な断面が先細状になるように形成される。ガイド部４８Ｃのうちのバッテリユニット５０の下方の面と接触可能な面は、バッテリユニット５０の下方の面を案内する傾斜面を有する。バッテリユニット５０の第２端部７６には、外周部にガイド部４８Ｃが嵌まる溝が形成されている。ガイド部４８Ｃを設けることによって、バッテリユニット５０をバッテリホルダ３４に保持させるときに、バッテリユニット５０の溝をガイド部４８Ｃに接触させて案内させて、プラグＰとバッテリユニット５０のコネクタ６４とを円滑に接続することができる。
【００８０】
図２、図８、図９、図１３、および、図１４を参照して、バッテリユニット５０のバッテリ取付部２２への取付手順について説明する。
バッテリユニット５０は、例えば次の手順を経てバッテリ取付部２２に取り付けられる。第１の手順では、ユーザが、バッテリユニット５０の第２端部７６をバッテリホルダ３４に接触させる。具体的には、バッテリユニット５０のコネクタ６４をプラグＰに接続するとともに、バッテリユニット５０の第２端部７６の凹部７６Ａをホルダ本体４６の凸部４６Ａに嵌め込む。第２の手順では、ホルダ本体４６の凸部４６Ａを支点として、バッテリユニット５０を旋回させてバッテリユニット５０の全体を収容空間２６Ａ内に移動させる。このとき、係合部５８は、ブラケット３６の下部に設けられる第１案内面３６Ａと接触し、第１案内面３６Ａにローラ５８Ａが接触しながらバッテリユニット５０の幅方向の内側に移動する。そして、ローラ５８Ａが被係合部３２と対応する位置までバッテリユニット５０が収容空間２６Ａ内に移動すると、付勢部６６の力によって係合部５８が幅方向の外側に移動し、係合部５８が被係合部３２に嵌め込まれる。この結果、操作部５６が第１操作位置Ｐ１に移動する。回転軸線Ｃに平行な方向から見て、バッテリユニット５０の幅方向において、回転軸線Ｃの一方側で係合部５８と被係合部３２が接触している。係合部５８が被係合部３２に係合した状態では、バッテリユニット５０の自重によって、係合部５８には被係合部３２に向かって押される力が与えられる。これによって係合部５８が被係合部３２に係合した状態では、操作部５６を操作しない限り、係合部５８が被係合部３２から外れにくい。
【００８１】
バッテリユニット５０のバッテリ取付部２２への取り外し手順について説明する。
バッテリユニット５０は、例えば次の手順を経てバッテリ取付部２２から取り外される。第１の手順では、ユーザは、操作部５６をバッテリユニット５０の幅方向の内側に押し込む。これによって、操作部５６が第１操作位置Ｐ１から第２操作位置Ｐ２に移動し、係合部５８が被係合部３２から離間する。第２の手順では、ユーザは、操作部５６をバッテリユニット５０の幅方向の内側に押し込んだ状態を維持したまま、ホルダ本体４６の凸部４６Ａを支点として、バッテリユニット５０を旋回させてバッテリユニット５０を収容空間２６Ａの外に引き出す。第３の手順では、ユーザは、バッテリユニット５０の第２端部７６の凹部７６Ａを凸部４６Ａから引き抜くとともに、バッテリユニット５０のコネクタ６４をプラグＰから引き抜き、バッテリユニット５０をバッテリ取付部２２から取り外す。
【００８２】
（第２実施形態）
図２および図１５を参照して、第２実施形態のバッテリユニット５０Ａについて説明する。第２実施形態のバッテリユニット５０Ａは、支持部８０に代えて支持部１０６が設けられる点以外は第１実施形態のバッテリユニット５０と同様であるので、第１実施形態と共通する構成については、第１実施形態と同一の符号を付し、重複する説明を省略する。
【００８３】
バッテリユニット５０Ａは、少なくともハウジング５２と、操作部１０８と、係合部１１０とを含む。操作部１０８は、ハウジング５２に設けられる。操作部１０８および係合部１１０は、第１端部７４に設けられる。具体的には、操作部１０８および係合部１１０を支持する支持部１０６が第１端部７４に取り付けられる。支持部１０６には、操作部１０８、係合部１１０、ばね１１６、および、付勢部１１８が設けられる。操作部１０８の少なくとも一部、係合部１１０の少なくとも一部、ばね１１６、および、付勢部１１８は、支持部１０６の内部に収容される。
【００８４】
操作部１０８は、少なくとも一部が支持部１０６の下方の端部から突出可能に設けられる。操作部１０８は、第１操作位置と、第２操作位置との間で移動可能である。操作部１０８は、ユーザが操作可能に構成される。操作部１０８は、支持部１０６からバッテリユニット５０Ａの下方に突出する部分を含む。操作部１０８は、第１操作位置にあるとき、第２操作位置にあるときよりも支持部１０６からの突出量が大きい。
【００８５】
ハウジング５２が自転車１０に取り付けられた状態において、係合部１１０は、自転車１０の幅方向に移動可能にハウジング５２に設けられる。係合部１１０は、被係合部３２（図８参照）と係合可能である。係合部１１０は、操作部１０８に連動する。係合部１１０は、操作部１０８が第１操作位置に位置する場合に、被係合部３２と係合するように構成される。係合部１１０は、操作部１０８が第２操作位置に位置する場合に、被係合部３２から離間するように構成される。係合部１１０は、被係合部３２と係合した状態で、ハウジング５２が被係合部３２に対して下方に移動することを規制するように構成される。係合部１１０は、被係合部３２から離間した状態で、ハウジング５２が被係合部３２に対して下方に移動することを許容するように構成される。係合部１１０は、操作部１０８が第１操作位置にあるとき、操作部１０８が第２操作位置にあるときよりも支持部１０６からの突出量が大きい。
【００８６】
付勢部１１８は、第２操作位置から第１操作位置に向かう力を操作部１０８に付与する。付勢部１１８は、例えば、ばねを含み、操作部１０８の上方の端部と支持部１０６とに取り付けられる。付勢部１１８は、例えば圧縮コイルばねを含む。操作部１０８に外部からの力が付与されていない状態では、付勢部１１８は操作部１０８を第１操作位置に保持する。
【００８７】
係合部１１０は、第１係合部１１２および第２係合部１１４を含む。第１係合部１１２および第２係合部１１４は、第１端部７４に設けられる。具体的には、第１係合部１１２および第２係合部１１４を有する支持部１０６がハウジング５２の第１端部７４に取り付けられる。第１係合部１１２と第２係合部１１４とは、ばね１１６によって接続される。ばね１１６は、第１係合部１１２および第２係合部１１４に、互いに離れる方向の力を付与する。ばね１１６は、例えば圧縮コイルばねを含む。
【００８８】
第１係合部１１２は、操作部１０８に連動する。第１係合部１１２は、操作部１０８が第１操作位置に位置する場合に、第１被係合部４０（図８参照）と係合する。第１係合部１１２は、操作部１０８が第２操作位置に位置する場合に、第１被係合部４０から離間するように構成される。第１係合部１１２は、第１被係合部４０と係合した状態で、ハウジング５２が第１被係合部４０に対して下方に移動することを規制するように構成される。第１係合部１１２は、第１被係合部４０から離間した状態で、ハウジング５２が第１被係合部４０に対して下方に移動することを許容するように構成される。第１係合部１１２は、操作部１０８が第１操作位置にあるとき、操作部１０８が第２操作位置にあるときよりも支持部１０６からの突出量が大きい。
【００８９】
第２係合部１１４は、操作部１０８に連動する。第２係合部１１４は、操作部１０８が第１操作位置に位置する場合に、第２被係合部４２（図８参照）と係合する。第２係合部１１４は、操作部１０８が第２操作位置に位置する場合に、第２被係合部４２から離間するように構成される。第２係合部１１４は、第２被係合部４２と係合した状態で、ハウジング５２が第２被係合部４２に対して下方に移動することを規制するように構成される。第２係合部１１４は、第２被係合部４２から離間した状態で、ハウジング５２が第２被係合部４２に対して下方に移動することを許容するように構成される。第２係合部１１４は、操作部１０８が第１操作位置にあるとき、操作部１０８が第２操作位置にあるときよりも支持部１０６からの突出量が大きい。
【００９０】
操作部１０８は、押されることによって第１操作位置から第２操作位置に移動するように構成される。
操作部１０８が第１操作位置から第２操作位置に移動する場合に、第１係合部１１２および第２係合部１１４の相対位置が変化する。操作部１０８が第１操作位置から第２操作位置に移動する場合に、第１係合部１１２および第２係合部１１４は互いに近づく。具体的には、操作部１０８が第１操作位置から第２操作位置に移動する場合、第１係合部１１２は、支持部１０６の幅方向の中央に向かって移動する。操作部１０８が第１操作位置から第２操作位置に移動する場合、第２係合部１１４は、支持部１０６の幅方向の中央に向かって移動する。
【００９１】
操作部１０８が第２操作位置から第１操作位置に移動する場合に、第１係合部１１２および第２係合部１１４は互いに離れる。具体的には、操作部１０８が第２操作位置から第１操作位置に移動する場合、第１係合部１１２は、支持部１０６の幅方向の外側（図１５では、右側）に向かって移動する。操作部１０８が第２操作位置から第１操作位置に移動する場合、第２係合部１１４は、支持部１０６の幅方向の外側（図１５では、左側）に向かって移動する。
【００９２】
第１係合部１１２は、第１連結部材１１２Ａを有する。第１連結部材１１２Ａの一端部は、第１係合部１１２に回転可能に連結される。第２係合部１１４は、第２連結部材１１４Ａを有する。第２連結部材１１４Ａの一端部は、第２係合部１１４に回転可能に連結される。第１連結部材１１２Ａの他端部と、第２連結部材１１４Ａの他端部とは、相互に回転可能に連結される。操作部１０８は、第１連結部材１１２Ａの他端部と、第２連結部材１１４Ａの他端部とに、相互に回転可能に連結される。操作部１０８に外部からの力が加わらない状態において、操作部１０８は、支持部１０６からの突出量が大きい第１操作位置に位置する。操作部１０８が押されることによって支持部１０６からの突出量が小さい第２操作位置に移動すると、第１係合部１１２が支持部１０６の幅方向の中央に向かって移動し、第２係合部１１４が支持部１０６の幅方向の中央に向かって移動する。これによって、第１係合部１１２および第２係合部１１４の支持部１０６からの突出量が小さくなり、第１係合部１１２および第２係合部１１４が被係合部４０，４２から離間する。ユーザが操作部１０８から手を離すと、操作部１０８が第２操作位置から第１操作位置に戻り、第１係合部１１２および第２係合部１１４がブラケット３６の被係合部と係合する。
【００９３】
（第３実施形態）
図２および図１６を参照して、第３実施形態のバッテリユニット５０Ｂについて説明する。第３実施形態のバッテリユニット５０Ｂは、支持部８０に代えて支持部１２０が設けられる点以外は第１実施形態のバッテリユニット５０と同様であるので、第１実施形態と共通する構成については、第１実施形態と同一の符号を付し、重複する説明を省略する。
【００９４】
バッテリユニット５０Ｂは、少なくともハウジング５２と、操作部１２２と、係合部１２８とを含む。操作部１２２は、ハウジング５２に設けられる。操作部１２２および係合部１２８は、第１端部７４に設けられる。具体的には、操作部１２２および係合部１２８を支持する支持部１２０が第１端部７４に取り付けられる。支持部１２０には、操作部１２２、係合部１２８、および、付勢部１４０Ａ，１４０Ｂが設けられる。操作部１２２の少なくとも一部、係合部１２８の少なくとも一部、付勢部１４０Ａ，１４０Ｂは、支持部１２０の内部に収容される。
【００９５】
操作部材１３４は、操作部１２２、および、係合部１２８を有する。操作部材１３４は、Ｔ字状に形成される。
操作部１２２は、第１操作位置と、第２操作位置との間で移動可能である。操作部１２２は、操作部材１３４のうちの下方に突出した端部に設けられる。操作部１２２は、ユーザが操作可能に構成される。
【００９６】
係合部１２８は、操作部材１３４のうちのバッテリユニット５０Ｂの幅方向の外側に突出する部分に設けられる。ハウジング５２が自転車１０に取り付けられた状態において、係合部１２８は、自転車１０の幅方向に移動可能にハウジング５２に設けられる。係合部１２８は、被係合部３２（図８参照）と係合可能である。係合部１２８は、操作部１２２に連動する。係合部１２８は、操作部１２２が第１操作位置に位置する場合に、被係合部３２と係合するように構成される。係合部１２８は、操作部１２２が第２操作位置に位置する場合に、被係合部３２から離間するように構成される。係合部１２８は、被係合部３２と係合した状態で、ハウジング５２が被係合部３２に対して下方に移動することを規制するように構成される。係合部１２８は、被係合部３２から離間した状態で、ハウジング５２が被係合部３２に対して下方に移動することを許容するように構成される。係合部１２８は、操作部１２２が第１操作位置にあるとき、操作部１２２が第２操作位置にあるときよりも支持部１２０からの突出量が大きい。
【００９７】
付勢部１４０Ａ，１４０Ｂは、第２操作位置から第１操作位置に向かう力を操作部１２２に付与する。付勢部１４０Ａ，１４０Ｂは、例えば、ばねを含み、付勢部１４０Ａ，１４０Ｂは、例えば圧縮コイルばねを含む。操作部材１３４のうちの操作部１２２とは反対側の端部と支持部１２０とに取り付けられる。操作部１２２に外部からの力が付与されていない状態では、付勢部１４０Ａ，１４０Ｂは操作部１２２を第１操作位置に保持する。
【００９８】
操作部１２２は、第１操作部１２４、および、第１操作部１２４とは別体で設けられる第２操作部１２６を含む。第１操作部１２４と第２操作部１２６とは、所定の平面に関して対称に設けられる。第１操作部１２４と第２操作部１２６とは、バッテリユニット５０の長手方向と平行し、かつ、バッテリユニット５０の幅方向と直交する平面に関して対称に設けられる。係合部１２８は、第１係合部１３０および第２係合部１３２を含む。第１操作位置は、第３操作位置および第５操作位置を含む。第２操作位置は、第４操作位置および第６操作位置を含む。操作部材１３４は、第１操作部材１３６と、第２操作部材１３８と、を含む。バッテリユニット５０Ｂは、第１操作部材１３６と、第２操作部材１３８と、を含む。
【００９９】
第１操作部１２４は、ハウジング５２に設けられる。第１操作部１２４および第１係合部１３０は、第１端部７４に設けられる。具体的には、第１操作部１２４および第１係合部１３０を有する第１操作部材１３６を支持する支持部１２０が第１端部７４に取り付けられる。
【０１００】
第１操作部材１３６は、操作部１２２、および、第１係合部１３０を有する。
第１操作部１２４は、第３操作位置と、第４操作位置との間で移動可能である。第１操作部１２４は、ユーザが操作可能に構成される。第１操作部１２４は、第１操作部材１３６からバッテリユニット５０Ｂの幅方向の外側に突出する部分を含む。
【０１０１】
第１係合部１３０は、第１操作部材１３６からバッテリユニット５０Ｂの幅方向の外側に突出する部分を含む。ハウジング５２が自転車１０に取り付けられた状態において、第１係合部１３０は、自転車１０の幅方向に移動可能にハウジング５２に設けられる。第１係合部１３０は、第１被係合部４０（図８参照）と係合可能である。第１係合部１３０は、第１操作部１２４に連動する。第１係合部１３０は、第１操作部１２４が第３操作位置に位置する場合に、第１被係合部４０と係合する。第１係合部１３０は、第１操作部１２４が第４操作位置に位置する場合に、第１被係合部４０から離間するように構成される。第１係合部１３０は、第１被係合部４０と係合した状態で、ハウジング５２が第１被係合部４０に対して下方に移動することを規制するように構成される。第１係合部１３０は、第１被係合部４０から離間した状態で、ハウジング５２が第１被係合部４０に対して下方に移動することを許容するように構成される。第１係合部１３０は、第１操作部１２４が第３操作位置にあるとき、第１操作部１２４が第４操作位置にあるときよりも第２支持部分８４からの突出量が大きい。
【０１０２】
付勢部１４０Ａは、第４操作位置から第３操作位置に向かう力を第１操作部１２４に付与する。付勢部１４０Ａは、例えば、ばねを含む。第１操作部１２４に外部からの力が付与されていない状態では、付勢部１４０Ａは第１操作部１２４を第３操作位置に保持する。
【０１０３】
第２操作部１２６は、ハウジング５２に設けられる。第２操作部１２６および第２係合部１３２は、第１端部７４に設けられる。具体的には、第２操作部１２６および第２係合部１３２を有する第２操作部材１３８を支持する支持部１２０が第１端部７４に取り付けられる。
【０１０４】
第２操作部材１３８は、第２操作部１２６、および、第２係合部１３２を有する。
第２操作部１２６は、第５操作位置と、第６操作位置との間で移動可能である。第２操作部１２６は、ユーザが操作可能に構成される。第２操作部１２６は、第２操作部材１３８からバッテリユニット５０Ｂの幅方向の外側に突出する部分を含む。
【０１０５】
第２係合部１３２は、第２操作部材１３８からバッテリユニット５０Ｂの幅方向の外側に突出する部分を含む。ハウジング５２が自転車１０に取り付けられた状態において、第２係合部１３２は、自転車１０の幅方向に移動可能にハウジング５２に設けられる。第２係合部１３２は、第２被係合部４２（図８参照）と係合可能である。第２係合部１３２は、第２操作部１２６に連動する。第２係合部１３２は、第２操作部１２６が第５操作位置に位置する場合に、第２被係合部４２と係合する。第２係合部１３２は、第２操作部１２６が第６操作位置に位置する場合に、第２被係合部４２から離間するように構成される。第２係合部１３２は、第２被係合部４２と係合した状態で、ハウジング５２が第２被係合部４２に対して下方に移動することを規制するように構成される。第２係合部１３２は、第２被係合部４２から離間した状態で、ハウジング５２が第２被係合部４２に対して下方に移動することを許容するように構成される。第２係合部１３２は、第２操作部１２６が第５操作位置にあるとき、第２操作部１２６が第６操作位置にあるときよりも第２支持部分８４からの突出量が大きい。
【０１０６】
付勢部１４０Ｂは、第６操作位置から第５操作位置に向かう力を第２操作部１２６に付与する。付勢部１４０Ｂは、例えば、ばねを含む。第２操作部１２６に外部からの力が付与されていない状態では、付勢部１４０Ｂは第２操作部１２６を第５操作位置に保持する。
【０１０７】
操作部１２２は、バッテリユニット５０Ｂの幅方向にスライドさせられることによって第１操作位置から第２操作位置に移動する。
操作部１２２が第１操作位置から第２操作位置に移動する場合に、第１係合部１３０および第２係合部１３２の相対位置が変化する。操作部１２２が第１操作位置から第２操作位置に移動する場合に、第１係合部１３０および第２係合部１３２は互いに近づく。第１操作部１２４が第３操作位置から第４操作位置に移動し、第２操作部１２６が第５操作位置から第６操作位置に移動する場合に、第１係合部１３０および第２係合部１３２は互いに近づく。具体的には、第１操作部１２４が第３操作位置から第４操作位置に移動する場合、第１係合部１３０は、支持部１２０の幅方向の中央に向かって移動する。第２操作部１２６が第５操作位置から第６操作位置に移動する場合、第２係合部１３２は、支持部１２０の幅方向の中央に向かって移動する。
【０１０８】
操作部１２２が第２操作位置から第１操作位置に移動する場合に、第１係合部１３０および第２係合部１３２は互いに離れる。第１操作部１２４が第４操作位置から第３操作位置に移動し、第２操作部１２６が第６操作位置から第５操作位置に移動する場合に、第１係合部１３０および第２係合部１３２は互いに離れる。具体的には、第１操作部１２４が第４操作位置から第３操作位置に移動する場合、第１係合部１３０は、支持部１２０の幅方向の外側（図１６では、右側）に向かって移動する。第２操作部１２６が第６操作位置から第５操作位置に移動する場合、第２係合部１３２は、支持部１２０の幅方向の外側（図１６では、左側）に向かって移動する。
【０１０９】
ユーザは、第１操作部１２４および第２操作部１２６を幅方向の内側にスライドさせることによって第１操作部１２４および第２操作部１２６を第１操作位置から第２操作位置に移動させる。ユーザが第１操作部１２４および第２操作部１２６から手を離すと、第１操作部１２４および第２操作部１２６は、第１操作部材１３６および第２操作部材１３８のそれぞれに設けられる付勢部１４０Ａ，１４０Ｂの力によって第１操作位置から第２操作位置に戻る。
【０１１０】
（変形例）
上記各実施形態に関する説明は、本発明に従う自転車用バッテリユニットおよび自転車用バッテリユニットの取付構造が取り得る形態の例示であり、その形態を制限することを意図していない。本発明に従う自転車用バッテリユニットおよび自転車用バッテリユニットの取付構造は、例えば以下に示される上記各実施形態の変形例、および、相互に矛盾しない少なくとも２つの変形例が組み合わせられた形態を取り得る。以下の変形例において、各実施形態の形態と共通する部分については、各実施形態と同一の符号を付してその説明を省略する。
【０１１１】
・第１実施形態の係合部５８を、回転軸線Ｃよりも操作部５６から遠い部分に設けることもできる。第１係合部９４を回転軸線Ｃ１よりも第１操作部９０から遠い部分に設けることもできる。第２係合部９６を回転軸線Ｃ２よりも第２操作部９２から遠い部分に設けることもできる。
【０１１２】
・第１実施形態の係合部５８からローラ５８Ａを省略することもできる。第１係合部９４のローラ９４Ａおよび第２係合部９６のローラ９６Ａの一方のみを省略することもできる。
【０１１３】
・第１実施形態のバッテリユニット５０から少なくとも１つの弾性部材７０を省略することができる。
・第１実施形態のバッテリユニット５０から少なくとも１つのガイド部６８を省略することができる。バッテリユニット５０から第１ガイド部６８Ａおよび第２ガイド部６８Ｂの少なくとも一方を省略することができる。
【０１１４】
・第１実施形態の第１操作部材１０２および第２操作部材１０４の一方を省略することもできる。
・第２実施形態の第１係合部１１２および第２係合部１１４の一方を省略することもできる。
・第３実施形態の第１操作部材１３６および第２操作部材１３８の一方を省略することもできる。
【０１１５】
・第１および第２実施形態の第１操作部９０，１２４および第２操作部９２，１２６を所定の平面に対して非対称に設けることもできる。例えば、第１操作部９０，１２４および第２操作部９２，１２６の一方を、支持部８０，１０６，１２０の下方の端部から突出するように設ける。
【０１１６】
・各実施形態の係合部５８，１１０，１２８を自転車１０の幅方向と交差する方向に移動可能にしてもよい。第１係合部９４，１１２，１３０および第２係合部９６，１１４，１３２の一方を幅方向に移動可能にし、他方を幅方向と交差する方向に移動可能にしてもよい。
【０１１７】
・バッテリユニット５０，５０Ａ，５０Ｂの第２端部７６から凹部７６Ａを省略し、支持部８０，１０６，１２０を取り付けることもできる。
・各実施の形態のバッテリホルダ３４およびブラケット３６は、フレーム１２の長手方向に平行な軸線まわりに所定角度回転させた状態、例えば９０度または１８０度回転した状態で、フレーム１２に取り付けられてもよい。この場合、バッテリユニット５０，５０Ａ，５０Ｂは、フレーム１２の長手方向に平行な軸線まわりに所定角度回転させた状態で、フレーム１２に取り付けられる。この場合であっても、係合部５８，１１０，１２８が被係合部３２に係合した状態で、バッテリユニット５０を取り外す方向にバッテリユニット５０に力を加えると、係合部５８，１１０，１２８には被係合部３２に向かって押される力が与えられる。このため、操作部５６，１０８，１２２を操作しない限り、係合部５８，１１０，１２８が被係合部３２から外れにくい。この変形例では、バッテリ収容部２６の開口２６Ｂを、バッテリユニット５０を取り外す方向に開口させてもよく、バッテリ収容部２６を省略し、バッテリホルダ３４およびブラケット３６をフレーム１２の外周面に取り付けてもよい。
【符号の説明】
【０１１８】
１０…自転車、１２…フレーム、１２Ｃ…ダウンチューブ、３０…取付構造（自転車用バッテリユニットの取付構造）、３２…被係合部、４０…第１被係合部、４２…第２被係合部、５０，５０Ａ，５０Ｂ…バッテリユニット（自転車用バッテリユニット）、５２…ハウジング、５４，１３４…操作部材、５６，１０８，１２２…操作部、５６Ａ…第２凸部、５８，１１０，１２８…係合部、５８Ａ，９４Ａ，９６Ａ…ローラ、６０…バッテリセル、６６，１１８，１４０Ａ，１４０Ｂ…付勢部、６８…ガイド部、６８Ａ…第１凹部、７４…第１端部、７６…第２端部、７６Ａ…凹部、９０，１１０，１２４…第１操作部、９２，１１０，１２６…第２操作部、９４，１１２，１３０…第１係合部、９６，１１４，１３２…第２係合部、１０２，１３６…第１操作部材、１０４，１３８…第２操作部材、Ｃ…回転軸線、Ｃ１…第１回転軸線、Ｃ２…第２回転軸線。
【図１】
2019026104.tif 000003
【図２】
2019026104.tif 000004
【図３】
2019026104.tif 000005
【図４】
2019026104.tif 000006
【図５】
2019026104.tif 000007
【図６】
2019026104.tif 000008
【図７】
2019026104.tif 000009
【図８】
2019026104.tif 000010
【図９】
2019026104.tif 000011
【図１０】
2019026104.tif 000012
【図１１】
2019026104.tif 000013
【図１２】
2019026104.tif 000014
【図１３】
2019026104.tif 000015
【図１４】
2019026104.tif 000016
【図１５】
2019026104.tif 000017
【図１６】
2019026104.tif 000018